(57)【要約】  本発明は、ドアの下側域に配置された／配置可能な、ドアを開放するためのフットアクチュエータ要素を備えるフットドアオープナであって、フットアクチュエータ要素は、少なくとも１つのフット面要素（１）を備え、フット面要素（１）は、足による操作時に少なくとも部分的に下向きかつ内向きに回動し、フット面要素（１）は、少なくとも強制案内要素（ＺＦ）によっても、かつ少なくとも１つの強制案内走行要素（２）によって強制案内される、フットドアオープナにおいて、フット面要素（１）は、回動アーム要素（３）に回動可能に結合されていて、かつ強制案内走行要素（２）に回動可能に結合されており、足による操作時に、フット面要素（１）は、下向きの運動を行うだけでなく、全体として少なくとも部分的に外方へ移動させられることを特徴とする、フットドアオープナを開示している。
2015509153.tif 000002
【特許請求の範囲】
【請求項１】
ドアの下側域に配置された／配置可能な、ドアを開放するためのフットアクチュエータ要素を備えるフットドアオープナであって、該フットアクチュエータ要素は、少なくとも１つのフット面要素（１）を備え、該フット面要素（１）は、足による操作時に少なくとも部分的に下向きかつ内向きに回動し、前記フット面要素（１）は、少なくとも強制案内要素（ＺＦ）によっても、かつ少なくとも１つの強制案内走行要素（２）によって強制案内される、フットドアオープナにおいて、
前記フット面要素（１）は、回動アーム要素（３）に回動可能に結合されていて、かつ前記強制案内走行要素（２）に回動可能に結合されており、足による操作時に、前記フット面要素（１）は、下向きの運動を行うだけでなく、全体として少なくとも部分的に外方へ移動させられることを特徴とする、フットドアオープナ。
【請求項２】
前記回動アーム要素（３）は、ロッド状に形成されている、請求項１記載のフットドアオープナ。
【請求項３】
前記強制案内走行要素（２）は、当該フットドアオープナの枠部（４）に枢着されている、請求項１又は２記載のフットドアオープナ。
【請求項４】
前記強制案内走行要素（２）は、面状部材として構成されている、請求項１から３までのいずれか１項記載のフットドアオープナ。
【請求項５】
前記強制案内走行要素（２）は、枠部材料成形部（２１）に合致する少なくとも１つの材料成形部（２０）を備える、請求項４記載のフットドアオープナ。
【請求項６】
前記強制案内走行要素（２）は、前記フット面要素（１）の、該フット面要素（１）の静止位置に関して上側の端部を収容するための収容要素（２２）を備える、請求項４又は５記載のフットドアオープナ。
【請求項７】
前記強制案内要素（ＺＦ）は、円弧から円形の強制案内延伸軌道を有する、請求項１から６までのいずれか１項記載のフットドアオープナ。
【請求項８】
当該フットドアオープナは、前記フット面要素（１）の移動性が少なくとも１つのストッパ要素（５）により制限されるように、構成されている、請求項１から７までのいずれか１項記載のフットドアオープナ。
【請求項９】
前記ストッパ要素（５）は、前記回動アーム要素（３）に配置されている、請求項８記載のフットドアオープナ。
【請求項１０】
前記フット面要素（１）は、別の強制案内走行要素（６）を備える、請求項１から９までのいずれか１項記載のフットドアオープナ。
【請求項１１】
力要素（９）が、前記フット面要素（１）に間接又は直接に作用して、使用者の足による抵抗がない場合に前記フット面要素（１）が静止位置に引っ張られるようになっている、請求項１から１０までのいずれか１項記載のフットドアオープナ。
【請求項１２】
前記フット面要素（１）の、前記力要素（９）の戻し力に起因する運動が、減衰要素（１０）により減衰される、請求項１１記載のフットドアオープナ。
【請求項１３】
当該フットドアオープナは、足による操作時に、前記フット面要素（１）の戻りを阻止するロック機構（Ｖ）が作動させられるように、構成されている、請求項１から１２までのいずれか１項記載のフットドアオープナ。
【請求項１４】
ドア板とドア枠とが相対する場合に前記ロック機構（Ｖ）が解除される、請求項１３記載のフットドアオープナ。
【請求項１５】
前記ロック解除は、磁気的な力又は機械的な力により行われる、請求項１４記載のフットドアオープナ。
【請求項１６】
請求項１から１５までのいずれか１項記載のフットドアオープナを備えるドア。
【請求項１７】
ドアに組み込むための、請求項１から１５までのいずれか１項記載のフットドアオープナの使用。
【発明の詳細な説明】
【技術分野】
【０００１】
本発明は、フットドアオープナ、ドア並びに使用に関する。
【０００２】
独国特許出願公開第１０１１３８６５号明細書には、特に水回り範囲におけるドアを開放する装置が開示されている。この装置では、ドアに、足で操作するために用いられる操作機構が設けられている。操作機構は、ドアから突出するロッドとして構成されている。
【０００３】
欧州特許公開第１０４８８１１号明細書には、特に、ドアの横に配置されたフットスイッチを備えて構成されたドア開放システムが開示されている。このドア開放システムでは、アクチュエータロッドが、直接にドア開放機構に作用する。
【０００４】
国際公開第０２／３１２９７号パンフレットには、ドア開放機構が開示されている。このドア開放機構は、足で踏むことによる並進運動を、ドア開放機構に直接に作用する構造体の回動運動に変換する。
【０００５】
米国特許第５１９３８６３号明細書及び米国特許第４５６９５４６号明細書には、フットドアオープナが開示されている。このフットドアオープナは、フラップ式にドアに配置されているので、プレート状の又は回動可能な足踏み要素を足で踏むことによる操作により、アクエータロッドが並進運動を行い、これにより、ドアの開放機構に対する作用により、次いでドアを開放することができる。
【０００６】
米国特許公開第４６２１８４８号明細書には、フットドアオープナが開示されている。このフットドアオープナでは、使用者が、ペダル状でドアから突出するフット要素を操作できるので、上方から下方への並進運動により直接にアクチュエータロッドを介してドアの開放機構に作用して、ドアを開放することができる。
【０００７】
独国特許出願公開第１０２０１００３５５５４号明細書には、フットドアオープナが開示されている。このフットドアオープナは、ドアの下側の域に配置された、ドアを開放するフットアクチュエータ要素を備える。このフットドアオープナでは、フットアクチュエータ要素は、上側のフット面要素と下側のフット面要素とを備える。上側のフット面要素及び下側のフット面要素は、互いに枢着式に結合されていて、足による操作時に、少なくとも部分的にドアの内側に回動させられる。
【０００８】
背景技術において公知のこれらのフットドア開放装置では、最後に記載のものを除いて、共通して、フットドア開放装置は、一方では比較的粗くて細かく配分されない、足によるドアの開放しか可能でなく、更に、一部で嵩高な幾何学形状に基づいて、操作時に、ある程度の怪我の可能性を伴う。最後に記載の装置では、これらの問題は、大部分で解消されているが、しかし、実地において、更に細かく配分されたドアの開放の可能性が所望されることが判った。
【０００９】
従って、本発明の課題は、前述の欠点を少なくとも部分的に回避することである。
【００１０】
本発明の根底を成すこの課題は、請求項１に記載の本発明に係るフットドアオープナ、請求項１６に記載のドア並びに請求項１７に記載の使用により解決される。
【００１１】
本発明に係るフットドアオープナは、ドアの下側域に配置された／配置可能な、ドアを開放するためのフットアクチュエータ要素を備え、フットアクチュエータ要素は、例えば特に軽く凸状に膨らんだプレート状に構成された少なくとも１つのフット面要素を備え、フット面要素は、足による操作時に、つまり足をフット面要素に載せて力を加える際に、少なくとも部分的に下向きかつ内向きに回動し、フット面要素は、少なくとも、例えば及び特にアーチ形の材料突出部の構成をした強制案内要素によっても、かつ例えば及び特に面状部材として構成された、例えば特に三角形に構成された、フットオープナの枠部に枢着された少なくとも１つの強制案内走行要素によって強制案内される。フット面要素は、例えば及び特にロッド状要素の構成をした回動アーム要素に回動可能に結合されていて、かつ強制案内走行要素に回動可能に結合されており、足による操作時に、フット面要素は、下方への移動を行うだけでなく、全体として、つまりフット面要素全体が、部分的に外方へ移動させられる。
【００１２】
このようにして少なくとも部分的にフット面要素の回動運動と並進的な移動との同期化が行われ、これにより、外方への並進的な移動により、フット面要素のより大きな足置きが使用者に提供され、従ってより軽い操作が可能になる。
【００１３】
実際に、回動アーム要素がロッド状に形成されていると、好適であることが判った。これにより、このようにして外方への特に高い並進運動が可能になる。
【００１４】
更に、強制案内走行要素がフットドアオープナの枠部に枢着されていると、好適である。これにより、このようにして強制案内要素の延伸軌道に沿った、生じる可能性がある摩擦力をできるだけ小さく抑えることができる。
【００１５】
この関連において、更に、強制案内走行要素が面状部材、例えば及び特に三角形に構成されていると、好適である。これにより、例えば、強制案内要素に沿った広い延伸軌道にわたって、強制案内要素は、１点より大きな箇所で、強制案内走行要素との接触を有し、これにより、このようにして特に確実な強制案内が可能になる。
【００１６】
更に、強制案内走行要素が枠部材料成形部に合致する、例えば及び特に蛇行状の少なくとも１つの材料成形部を備えると、好適である。これにより、フット面要素の静止位置に関して、又、フット面要素が完全に踏み込まれた状態で、各材料成形部は相互に合致し、このようにしてフットドアオープナの機構の追加的な安定化が可能になる。
【００１７】
更に、強制案内走行要素が、フット面要素の、フット面要素の静止位置に関して上側の端部を収容するための、例えば及び特に丸形溝の構成をした収容要素を備えると、好適である。これにより、場合によっては下側のフット面要素の踏み込まれた終端位置の到達前にも相応の追加的で機械的な安定化が提供される。
【００１８】
更に、強制案内要素が円弧から円形の強制案内延伸軌道を有すると、好適である。これにより、強制案内要素の延伸軌道に沿った可及的均等な移動が実現される。
【００１９】
更に、本発明に係るフットドアオープナが、フット面要素の移動性、つまり同時の回動及び並進が例えば及び特に緩衝ゴムの構成をした少なくとも１つのストッパ要素により制限されるように、構成されていると、好適である。この場合、ストッパ要素が回動アーム要素に配置されていると、特に好適である。これにより、ストッパ要素の相応の寸法設定及び別のパラメータにおいて、使用者にとって確実で快適なストッパが提供される。
【００２０】
更に、フット面要素が例えば及び特にフット面要素の下側に別の強制案内走行要素を備えると、好適である。これにより、作動時にフット面要素の更に良好な移動が可能である。
【００２１】
更に、例えば及び特にばね要素の構成をした力要素が、フット面要素に間接又は直接に作用して、使用者の足による抵抗がない場合にフット面要素が静止位置に引っ張られるようになっていると、好適である。これにより、ドアが閉まった後で直ちにドアを開放するためにフットドアオープナを相応に再び操作することができる。
【００２２】
これに関して、フット面要素の、力要素の戻し力に起因する移動が、例えば油圧ブレーキシリンダの構成をした減衰要素により減衰されると、好適である。なぜならば、通常、力要素がフット面要素を制動せずにその静止位置に引っ張ることが回避されるからである。制動せずに引っ張ると、この場合、フット面要素が相応のストッパに乗り上げるので、大抵、高い騒音レベルにつながる。
【００２３】
更に、本発明に係るフットドアオープナが、足による操作時に、フット面要素の戻りを阻止する、例えば及び特にいわゆるセミトレーラ機構の構成をしたロック機構が作動させられるように、構成されていると、好適である。これにより、先ず第１にフット面要素の静止位置への制御されない移動が阻止される。
【００２４】
更に、本発明に係るフットドアオープナが、ドア板とドア枠とが相対する場合に例えば及び特に磁気的な力又は機械的な力によりロック機構が解除されるように、構成されていると、好適である。これにより、このようにしてドアのラッチが衝突することなく、ドアは極めて静かに閉められる。
【００２５】
本発明を、以下の図面に基づいて記載する。本発明は、以下の説明に制限されるものではない。
【図面の簡単な説明】
【００２６】
【図１】本発明に係るフットドアオープナの第１の態様の概略横断面図である。
【図２】図１に示された態様の概略斜視図である。
【図３】本発明に係るフットドアオープナの第２の態様の概略断面図である。
【図４】別の詳細部分と共に図２に示された態様の概略横断面図である。
【００２７】
図１において概略横断面図で第１の態様が看取される。第１の態様では、フット面要素１が、ヒンジ（ジョイント）Ｄ２を介して、強制案内走行要素２に枢着されている。同時に、フット面要素１は、ヒンジＤ４を介して、回動アーム要素３に枢着されている。従って、足による操作時に、回動アーム要素３の右回転と共にフット面要素１は、下向きと同時に外向きにも回動し、更に並進運動も行うように移動させられる。この移動は、極めて厳密にコントロールされて確実に行われる。なぜならば、強制案内走行要素２が強制案内要素ＺＦの成形輪郭に沿って移動するからである。その際、強制案内走行要素２がヒンジＤ１で枠部４に枢着されていることにより、強制案内走行要素２は、下向きに回動させられ、従って、ヒンジＤ２及びヒンジＤ３を介して、強制案内要素ＺＦの成形輪郭延伸軌道に沿って移動する。その際、第２の上側のフット面要素７（第２の上側のフット面要素７はヒンジＤ２を介してフット面要素１に枢着式に結合されている）は、スライドリンク要素１５のスライド延伸軌道内で、下方へ送られる。この場合、ワイヤ８の引き下げによりドアロック解放力が形成される（ドアロックは図示されていない）。ワイヤ８は、ドアロック（図示されていない）に結合されていて、ドアロックを解放する。ワイヤ８は、ヒンジＤ２に取り付けられている。このようにして、フットドアオープナの確実で快適な操作が可能である。
【００２８】
上述のアセンブリは、図２において概略的に看取される。
【００２９】
図３に示された態様では、フット面要素１は、第２の強制案内走行要素６を備える。第２の強制案内走行要素６は、強制案内要素ＺＦの成形輪郭に沿ったフット面要素１だけでなく強制案内走行要素２の更にコントロールされたより確実な運動をもたらす。同時に第２の強制案内走行要素６は、フット面要素１の踏込み時にゴム状のストッパ要素５に乗り上げ、従って当接し、フット面要素１の移動性、つまり回動運動も並進運動も制限する。
【００３０】
両フット面要素（上側のフット面要素７及び下側のフット面要素１）は、ヒンジＤ５を介して、相互に枢着式に結合されている。枠部４の材料隆起部２１は、強制案内走行要素２の材料凹み部２０に合致するので、フット面要素１の静止位置でもフット面要素１の踏み込まれた位置でも、それぞれ本発明に係るフットドアオープナの機構の追加的で機械的な安定化が実現されている。この場合、好適には、ヒンジＤ１は、ほぼ「骨の関節」として構成されている。このヒンジＤ１は、先ず第１に抜け落ちが阻止されるように働く。この場合、強制案内要素ＺＦにおける強制案内走行要素２の大面積の接触により、ヒンジＤ１の大幅な負荷軽減が行われる。フット面要素１は、ヒンジＤ４を介して、回動アーム要素３に枢着式に結合されている。
【００３１】
図４には、正面からみた図１及び図２の第１の態様が看取される。特に、ワイヤ８は、複数の変向ローラ１１を介して、ばね要素の構成をした力要素９に結合されている。力要素９は、持続的な力を上向きにフット面要素１に提供する。ばね要素９は、その力作用が、ダンパ要素１０としての油圧ダンパにより減衰されるので、静止位置への両フット面要素１，７の移動は減速され、かつ減衰されて行われる。その際、フット面要素１は、上向きで内向きに引っ張られる。セミトレーラ機構の構成をしたロック機構Ｖにより、フット操作（つまりフット面要素１の下向きの踏込み）の特定の度合いから、フット面要素１，７の戻りが阻止される。
【００３２】
ドアがほぼ閉まると、ドア板とドア枠とが相対するので、この場合、磁石要素１４（磁石要素１４はそれ自体が磁石又は強磁性化された材料であってよい）が、対向して配置された磁石（図示されていない）により引き付けられ、これにより、ロックＶは、ロッド１３及びレバー１２を介して解除される。従って、ドアのラッチが閉められ、同時に両フット面要素１，７が減衰されてゆっくりとその静止位置に移動させられる。
【００３３】
全図の説明は、本発明に係るフットドアオープナの、ドアへの組込状態で両側からのドアの開放を可能にする２重の態様に関するものである。
【図１】
2015509153.tif 000003
【図２】
2015509153.tif 000004
【図３】
2015509153.tif 000005
【図４】
2015509153.tif 000006
【国際調査報告】
2015509153.tif 000007
2015509153.tif 000008
2015509153.tif 000009
2015509153.tif 000010
2015509153.tif 000011
2015509153.tif 000012